(57)【要約】【課題】モード切替スイッチを確実に通常モードとした状態でブラケットに取り付けることができるリモコン装置を提供する。【解決手段】ブラケット（支持部材）９に着脱可能なケース８と、ケース８の内部に設けられ、通常時の動作となる通常モードと管理時の動作となる管理モードとを切り替え可能なモード切替スイッチ７と、を有し、ケース８がブラケット９に取り付けられると、モード切替スイッチ７が通常モードに切り替えられる。【選択図】図１３
2019054443.tif 000002
【特許請求の範囲】
【請求項１】
支持部材に着脱可能に支持されるリモコン装置において、
前記支持部材に着脱可能なケースと、
前記ケースの内部に設けられ、通常時の動作となる通常モードと管理時の動作となる管理モードとを切り替え可能なモード切替スイッチと、を有し、
前記ケースが前記支持部材に取り付けられると、前記モード切替スイッチが前記通常モードに切り替えられることを特徴とするリモコン装置。
【請求項２】
前記ケースは、前記支持部材と対向して配置される対向面を有し、
前記モード切替スイッチは、前記通常モードと前記管理モードとを切り替え操作するための操作部を有し、
前記操作部は、前記ケースに設けられた軸部を中心に回動可能に構成され、
前記操作部が前記対向面に沿った姿勢になると前記通常モードとなり、前記操作部が前記対向面から外側に突出した姿勢になると前記管理モードとなるように構成され、
前記操作部は、回動角度が９０°未満である請求項１に記載のリモコン装置。
【請求項３】
前記操作部が前記通常モードとなる姿勢で前記リモコン装置が前記支持部材に取り付けられると、前記操作部と前記支持部材とが面接触している請求項２に記載のリモコン装置。
【請求項４】
前記操作部には、前記支持部材と対向する側の面における前記軸部と離間する側の端部近傍に、前記軸部と離間する側に向かって漸次前記ケースに近接する側に向かうテーパー面が形成されている請求項２または３に記載のリモコン装置。
【請求項５】
前記軸部は、前記ケースと前記支持部材とが対向する方向に直交する水平方向に延び、前記操作部の上部側を回動可能に支持している請求項２乃至４のいずれか一項に記載のリモコン装置。
【請求項６】
前記ケースは、前記支持部材に対して上側から取り付けられる請求項５に記載のリモコン装置。
【請求項７】
トイレ装置と、前記トイレ装置と通信するリモコン装置と、を備えるトイレシステムにおいて、
前記リモコン装置は、前記支持部材に着脱可能なケースと、
前記ケースの内部に設けられ、通常時の動作となる通常モードと管理時の動作となる管理モードとを切り替え可能なモード切替スイッチと、を有し、
前記ケースが前記支持部材に取り付けられると、前記モード切替スイッチが前記通常モードに切り替えられることを特徴とするトイレシステム。
【発明の詳細な説明】
【技術分野】
【０００１】
本発明は、リモコン装置およびトイレシステムに関する。
【背景技術】
【０００２】
従来、トイレ装置と、トイレ装置の洗浄装置や局部洗浄装置、便座の開閉装置などを遠隔操作するリモコン装置を有するトイレシステムが知られている。このようなトイレシステムに設けられているリモコン装置として、壁部などに固定されたブラケット（支持部材）に着脱可能なリモコン装置が知られている（例えば、特許文献１参照）。ブラケットに取り付けられたリモコン装置は、容易に取り外されないように、ネジなどでブラケットに固定されている。
このようなリモコン装置には、通常使用される際の通常モードと、管理者などが温度調整や流量調整等の設定を変更する場合に使用される管理モードと、を切り替え可能なモード切替スイッチが設けられていることがある。
このようなモード切替スイッチは、通常時は露出しないようにリモコン装置の裏側に設けられ、管理者のみがリモコン装置をブラケットから取り外してから操作可能に構成されている。  
【先行技術文献】
【特許文献】
【０００３】
【特許文献１】特開２０１３‐２３２８０９号公報
【発明の概要】
【発明が解決しようとする課題】
【０００４】
しかしながら、管理モードで管理作業を行った後に通常モードに戻したリモコン装置をブラケットに取り付ける際に、管理モードとなったままブラケットに取り付けられてしまうと、リモコン装置を通常使用できないことになる。
【０００５】
そこで、本発明は、モード切替スイッチを確実に通常モードとした状態で支持部材に取り付けることができるリモコン装置およびトイレシステムを提供することを目的とする。
【課題を解決するための手段】
【０００６】
上記目的を達成するため、本発明に係るリモコン装置は、支持部材に着脱可能に支持されるリモコン装置において、前記支持部材に着脱可能なケースと、前記ケースの内部に設けられ、通常時の動作となる通常モードと管理時の動作となる管理モードとを切り替え可能なモード切替スイッチと、を有し、前記ケースが前記支持部材に取り付けられると、前記モード切替スイッチが前記通常モードに切り替えられることを特徴とする。
【０００７】
また、本発明に係るトイレシステムは、トイレ装置と、前記トイレ装置と通信するリモコン装置と、を備えるトイレシステムにおいて、前記リモコン装置は、前記支持部材に着脱可能なケースと、前記ケースの内部に設けられ、通常時の動作となる通常モードと管理時の動作となる管理モードとを切り替え可能なモード切替スイッチと、を有し、前記ケースが前記支持部材に取り付けられると、前記モード切替スイッチが前記通常モードに切り替えられることを特徴とする。
【０００８】
本発明では、ケースが支持部材に取り付けられると、モード切替スイッチが通常モードに切り替えられることにより、モード切替スイッチを確実に通常モードとした状態で支持部材に取り付けることができる。
【０００９】
また、本発明に係るリモコン装置では、前記ケースは、前記支持部材と対向して配置される対向面を有し、前記モード切替スイッチは、前記通常モードと前記管理モードとを切り替え操作するための操作部を有し、前記操作部は、前記ケースに設けられた軸部を中心に回動可能に構成され、前記操作部が前記対向面に沿った姿勢になると前記通常モードとなり、前記操作部が前記対向面から外側に突出した姿勢になると前記管理モードとなるように構成され、前記操作部は、回動角度が９０°未満であってもよい。
管理モードの操作部は、通常モードの姿勢からの回動角度が９０°未満となるため、リモコン装置が支持部材に取り付けられる際に、操作部が管理モードの姿勢となって対向面から外側に突出していると、操作部の外側（操作部が通常モードとなった際に支持部材と対向する側）が支持部材に当接することになる。したがって、操作部は、支持部材によってケース側に回動することになり、確実に通常モードの姿勢となる。
これにより、操作部が管理モードの姿勢となったままの状態で、リモコン装置が支持部材に取り付けられそうになっても、操作部は支持部材に押されて通常モードの姿勢となるため、支持部材に取り付けられたリモコン装置は、モード切替スイッチが確実に通常モードとなった状態とすることができる。
【００１０】
また、本発明に係るリモコン装置では、前記操作部が前記通常モードとなる姿勢で前記リモコン装置が前記支持部材に取り付けられると、前記操作部と前記支持部材とが面接触していてもよい。
このような構成とすることにより、リモコン装置が支持部材に取り付けられると、操作部が支持部材と面接触して外側に回動することが防止されるため、操作部を通常モードの姿勢に維持することができる。
【００１１】
また、本発明に係るリモコン装置では、前記操作部には、前記支持部材と対向する側の面における前記軸部と離間する側の端部近傍に、前記軸部と離間する側に向かって漸次前記ケースに近接する側に向かうテーパー面が形成されていてもよい。
操作部が管理モードの姿勢となったままの状態で、リモコン装置が支持部材に取り付けられそうになると、まず、操作部のテーパー面が支持部材と面接触するため、操作部をケース側に回動させることができる。これにより操作部を確実に通常モードの姿勢とすることができる。
【００１２】
また、本発明に係るリモコン装置では、前記軸部は、前記ケースと前記支持部材とが対向する方向に直交する水平方向に延び、前記操作部の上部側を回動可能に支持していてもよい。
このような構成とすることにより、操作部は、軸部を中心として回動すると、下部側がケースと離間しても、上部側はケースと離間しないことになる。これにより、操作部と当接面との間に上側から水や埃が入り込むことを防止できる。特に、ケースの対向面における操作部が配置される部分に開口部が形成されている場合に、開口部を介して上側からケースの内部に水や埃が入ることを防止できる。
【００１３】
また、本発明に係るリモコン装置では、前記ケースは、前記支持部材に対して上側から取り付けられていてもよい。
このような構成とすることにより、操作部が管理モードの姿勢となったままリモコン装置が支持部材に取り付けられると、まず、操作部の下部側が支持部材と当接して、操作部がケース側に押されて回動するため、操作部を通常モードの姿勢とすることができる。
【発明の効果】
【００１４】
本発明によれば、モード切替スイッチが管理モードのままリモコン装置が支持部材に取り付けられることがなく、モード切替スイッチを確実に通常モードとした状態でリモコン装置を支持部材に取り付けることができる。
【図面の簡単な説明】
【００１５】
【図１】本発明の実施形態によるリモコン装置の一例を示す正面図である。
【図２】蓋部を外した状態のリモコン装置の正面図である。
【図３】図２から操作ボタンを外した状態のリモコン装置の正面図である。
【図４】図１のＡ−Ａ線断面図である。
【図５】リモコン装置を後側から見た斜視図である。
【図６】リモコン装置とブラケットの斜視図である。
【図７】ブラケットに取り付けられた状態のリモコン装置を後側から見た斜視図である。
【図８】乾燥操作ボタンを前側から見た斜視図である。
【図９】乾燥操作ボタンを後側から見た斜視図である。
【図１０】図１のＢ−Ｂ線断面図である。
【図１１】洗浄強さ増加操作ボタンおよび洗浄強さ減少操作ボタンを前側から見た斜視図である。
【図１２】洗浄強さ増加操作ボタンおよび洗浄強さ減少操作ボタンを後側から見た斜視図である。
【図１３】図５のＣ−Ｃ線断面図で通常モードを説明する図である。
【図１４】図５のＣ−Ｃ線断面に対応する管理モードを説明する図である。
【図１５】リンク機構を後側から見た背面図である。
【図１６】リンク機構を説明する図で操作ボタンが押下操作されていない状態を説明する上下方向から見た図である。
【図１７】リンク機構を説明する図で操作ボタンが押下操作された状態を説明する上下方向から見た図である。
【発明を実施するための形態】
【００１６】
以下、本発明の実施形態によるリモコン装置およびトイレシステムについて、図１乃至図１７に基づいて説明する。
トイレシステムは、トイレ装置と、図１に示すリモコン装置１と、を有しており、リモコン装置１によってトイレ装置に設けられた局部洗浄装置を遠隔操作するように構成されている。
図１に示すように、本実施形態によるリモコン装置１は、トイレ装置が設けられたトイレ空間を形成する壁部１１に取り付けられている。
以下のリモコン装置１の説明では、壁部１１に取り付けられた状態における壁部１１側を後側、壁部１１と離間し使用者と対向する側を前側とし、この前側と後側とを結ぶ方向を前後方向とする。また、前後方向に直交する水平方向（壁部１１に沿った水平方向）を左右方向とし、使用者がリモコン装置１を見た際の右側および左側を右側および左側とする。
リモコン装置１の各部材の説明では、リモコン装置１が壁部１１に取り付けられている姿勢であるものとする。
【００１７】
図１乃至図５に示すように、リモコン装置１は、使用者が操作を行う６つの操作ボタン２（図１、図２および図４参照）と、これらの操作ボタン２が操作されたことを検出する操作検出部３（図３および図４参照）と、操作検出部３からの検出信号に基づいて局部洗浄装置を作動させる制御部の回路が設けられた基板４（図３および図４参照）と、操作ボタン２が操作されることにより発電を行う発電部５（図３参照）と、操作ボタン２に対する操作力を発電部５に伝達するリンク機構（機能部品）６（図３および図４参照）と、リモコン装置１の作動モードを切り替えるモード切替スイッチ７（図５参照）と、これらが収容されたケース８と、を有している。
本実施形態によるリモコン装置１は、発電式の電池レスリモコンであり、局部洗浄装置と無線通信可能に構成されている。
図６および図７に示すように、リモコン装置１は、壁部１１（図６参照）に設けられたブラケット（支持部材）９にケース８が取り付けられることで、壁部１１に取り付けられている。
【００１８】
ブラケット９は、ネジなどの固定具（不図示）で壁部１１に固定される壁固定部９１と、壁固定部９１と一体に形成され、リモコン装置１を係止可能な４つのフック部９２と、壁固定部９１と一体に形成されネジ９４でリモコン装置１を固定可能なケース固定部９３と、を有している。
壁固定部９１は、板面が長方形の平板状に形成され板面が前後方向を向く向きで壁部に固定されている。
フック部９２は、壁固定部９１の左右方向の両縁部における上部側および下部側の４カ所に設けられている。フック部９２は、壁固定部９１から前側に延びる第１片９２１と、第１片９２１の前端部から上側に延びる第２片９２２と、を有している。
ケース固定部９３は、壁固定部９１の下縁部における右側の端部近傍から前側に突出する板状に形成されている。ケース固定部９３には、上下方向に貫通する孔部９３１が形成されている。この孔部９３１には、リモコン装置１をブラケット９に固定するためのネジ９４が挿通される。
【００１９】
図５および図６に示すように、ケース８は、外形が直方体状の箱状に形成されている。ケース８は、後側に配置されるケース本体部８１と、ケース本体部８１の前側に着脱可能な蓋部８２と、を有している。
【００２０】
ケース本体部８１は、板面が長方形となる板状に形成されブラケット９の壁固定部９１と対向して配置される後板部８１１と、後板部８１１の上縁部から前側に延びる第１上板部８１２と、後板部８１１の下縁部から前側に延びる第１下板部８１３と、後板部８１１の左右方向の両側縁部それぞれから前側に延びる第１側板部８１４，８１４と、を有している。
【００２１】
図２および図３に示すように、後板部８１１には、操作検出部３、基板４、発電部５、リンク機構６およびモード切替スイッチ７が取り付けられている。
後板部８１１には、左右方向の両縁部における上部側および下部側の４カ所に板面を貫通する孔部８１１ａと、孔部８１１ａの縁部から前側に突出する筒状部８１１ｂと、が形成されている。
これらの孔部８１１ａおよび筒状部８１１ｂは、図６に示すブラケット９のフック部９２が挿通されるように構成されている。以下では、孔部８１１ａをフック用孔部８１１ａとし、筒状部８１１ｂをフック用筒状部８１１ｂとする。
後板部８１１は、フック用孔部８１１ａおよびフック用筒状部８１１ｂにフック部９２が後側から挿通されて、フック部９２の第２片９２２がフック用筒状部８１１ｂの前側に配置され、フック部９２の第１片９２１がフック用孔部８１１ａおよびフック用筒状部８１１ｂに挿通された状態となると、フック部９２を介してブラケット９に係止されるように構成されている。
【００２２】
図２および図５に示すように、後板部８１１には、上端部近傍における左右方向の中間部に板面を貫通する孔部８１１ｃと、孔部８１１ｃの下側に後側が切り欠かれることで板厚が薄く形成された薄板部８１１ｄと、が形成されている。
孔部８１１ｃは、モード切替スイッチ７のモード切替操作部７１が配置されるように構成されている。以下では、孔部８１１ｃをモード切替スイッチ用孔部８１１ｃとする。
後板部８１１におけるモード切替スイッチ用孔部８１１ｃの上縁部よりもやや下側の前側には、左右方向に延びる軸部８１５（図２参照）が設けられている。軸部８１５は、左右方向の両端部が後板部８１１に支持されている。
【００２３】
図２、図５および図７に示すように、第１下板部８１３には、右側の端部近傍に上側に凹んだ凹部８１３ａが形成されている。第１下板部８１３における凹部８１３ａを形成する板部には、上下方向に貫通する孔部８１３ｂが形成されている。
図７に示すように、凹部８１３ａは、後板部８１１がブラケット９に係止されると、下側からブラケット９のケース固定部９３が配置されるように構成されている。ケース固定部９３が第１下板部８１３の凹部８１３ａに配置されると、ケース固定部９３の孔部９３１と、第１下板部８１３の孔部８１３ｂとが上下方向に重なって配置される。そして、これらの孔部９３１，８１３ｂに下側から挿通されたネジ９４によって、ケース固定部９３と第１下板部８１３とが固定されるように構成されている。
なお、第１下板部８１３の孔部８１３ｂは、ケース８の内部に入り込んだ水を外部に排出するための水抜き孔も兼ねている。
【００２４】
図５および図６に示すように、蓋部８２は、板面が長方形となる板状に形成され後板部８１１の前側に間隔をあけて配置される前板部８２１と、前板部８２１の上縁部から後側に延びる第２上板部８２２と、前板部８２１の下縁部から後側に延びる第２下板部８２３と、前板部８２１の左右方向の両側縁部それぞれから後側に延びる第２側板部８２４，８２４と、を有している。
図１および図４に示すように、前板部８２１には、それぞれ厚さ方向に貫通する６つの孔部８２５と、６つの孔部８２５それぞれの縁部から後側に突出する筒状部８２６と、が形成されている。これらの孔部８２５および筒状部８２６には、それぞれ操作ボタン２が挿通されるように構成されている。以下では、連続する孔部８２５の開口部、および筒状部８２６の開口部を合せて操作ボタン用開口部８２７とする。
【００２５】
図５および図６に示すように、ケース本体部８１と蓋部８２とは、前後方向に重なりケース本体部８１の第１上板部８１２と蓋部８２の第２上板部８２２とが突き合わせられ、ケース本体部８１の第１下板部８１３と蓋部８２の第２下板部８２３とが突き合わせられ、ケース本体部８１の第１側板部８１４，８１４と蓋部８２の第２側板部８２４，８２４とが突き合わせられた状態で後側からネジ８３（図５参照）で連結固定されるように構成されている。
【００２６】
リモコン装置１は、ケース本体部８１と蓋部８２とが固定された状態でケース本体部８１の後板部８１１がフック部９２に係止されることで、ブラケット９を介して壁部１１に取り付けられることになる。
ケース本体部８１の第１下板部８１３の凹部８１３ａに、配置されたブラケット９のケース固定部９３をネジ９４で固定することにより、リモコン装置１をブラケット９から容易に取り外せないようにでき、リモコン装置１の盗難防止対策とすることができる。
本実施形態では、上述したように、ケース本体部８１と蓋部８２とは、後側からネジ８３で固定されていることにより、リモコン装置１がブラケット９に取り付けられるとネジ８３が露出しないように構成されている。
本実施形態では、後板部８１１の後側の面が本発明のブラケット９と対向する対向面に相当している。
【００２７】
図６に示す６つの操作ボタン２は、それぞれ局部洗浄装置の所望の機能に対応していて、使用者が所望の機能に対応した操作ボタン２を押す押下操作するように構成されている。
６つの操作ボタン２は、乾燥操作ボタン２ａ、洗浄強さ増加操作ボタン２ｂ、洗浄強さ減少操作ボタン２ｃ、ビデ洗浄操作ボタン２ｄ、おしり洗浄操作ボタン２ｅ、および停止操作ボタン２ｆから構成されている。
【００２８】
乾燥操作ボタン２ａは、トイレ装置に対して局部乾燥を開始させるための操作ボタンである。
洗浄強さ増加操作ボタン２ｂは、おしり洗浄またはビデ洗浄の吐水の強さを強くするための操作ボタンである。
洗浄強さ減少操作ボタン２ｃは、おしり洗浄またはビデ洗浄の吐水の強さを弱くするための操作ボタンである。
ビデ洗浄操作ボタン２ｄは、トイレ装置に対してビデ洗浄を開始させるための操作ボタンである。
おしり洗浄操作ボタン２ｅは、トイレ装置に対しておしり洗浄を開始させるための操作ボタンである。
停止操作ボタン２ｆは、トイレ装置に対しておしり洗浄、ビデ洗浄、および局部乾燥のうちの作動している機能を停止させるための操作ボタンである。
【００２９】
これらの操作ボタン２は、図４に示すように、操作検出部３、基板４、リンク機構６の前側に配置されている。
図６に戻り、乾燥操作ボタン２ａ、ビデ洗浄操作ボタン２ｄ、おしり洗浄操作ボタン２ｅ、および停止操作ボタン２ｆは、前側から見た形態が円形となる略同じ形状に形成されている。洗浄強さ増加操作ボタン２ｂおよび洗浄強さ減少操作ボタン２ｃは、前側から見た形状が略半円となるように形成されている。
以下では、乾燥操作ボタン２ａ、洗浄強さ増加操作ボタン２ｂおよび洗浄強さ減少操作ボタン２ｃの形状について詳細を説明し、ビデ洗浄操作ボタン２ｄ、おしり洗浄操作ボタン２ｅ、および停止操作ボタン２ｆの形状は、乾燥操作ボタン２ａと同様であるものとして説明を省略する。
【００３０】
なお、乾燥操作ボタン２ａ、ビデ洗浄操作ボタン２ｄ、おしり洗浄操作ボタン２ｅ、および停止操作ボタン２ｆが挿通される操作ボタン用開口部８２７は、前側から見た形態が円形となる形状に形成されて、洗浄強さ増加操作ボタン２ｂおよび洗浄強さ減少操作ボタン２ｃが挿通される操作ボタン用開口部８２７は、前側から見た形状が略半円となるように形成されている。
以下では、乾燥操作ボタン２ａ、ビデ洗浄操作ボタン２ｄ、おしり洗浄操作ボタン２ｅ、および停止操作ボタン２ｆが挿通される操作ボタン用開口部８２７をそのまま「操作ボタン用開口部８２７」と示し、洗浄強さ増加操作ボタン２ｂおよび洗浄強さ減少操作ボタン２ｃが挿通される操作ボタン用開口部８２７を「操作ボタン用開口部８２７Ｂ」と示す。
【００３１】
図８および図９に示すように、乾燥操作ボタン２ａは、円板状に形成され板面が前後方向を向くように配置される円板部２１と、円板部２１の外縁部から後側に延びる円筒状の筒状部２２と、筒状部２２の後端部から径方向（筒状部２２の中心と外周とを結ぶ方向）の外側に突出するフランジ２３と、円板部２１から後側に突出するカム部２４（図９参照）と、円板部２１から後側に突出するスイッチ押圧部２５（図９参照）と、を有している。
【００３２】
円板部２１の外径および筒状部２２の外径は、蓋部８２の操作ボタン用開口部８２７（図６参照）の内径よりやや小さく、フランジ２３の外径は蓋部８２の操作ボタン用開口部８２７の内径よりも大きく形成されている。
図４に示すように、乾燥操作ボタン２ａは、筒状部２２が蓋部８２の操作ボタン用開口部８２７に後側から挿入され、蓋部８２（ケース８）に対して前後方向に移動可能に構成されている。乾燥操作ボタン２ａは、蓋部８２に対して前側に移動して、フランジ２３が筒状部８２６の後端部８２６ａと当接すると、さらに前側へ向かう移動が拘束されて、蓋部８２の操作ボタン用開口部８２７から前側に抜け出せないように構成されている。
【００３３】
図６に示すように、スイッチ押圧部２５は、円板部２１の後面の略中央から後側に突出する円柱状に形成されている。図４に示すように、スイッチ押圧部２５は、操作検出部３の前側に対向して配置されていて、乾燥操作ボタン２ａが後側に向かって押下操作された場合に操作検出部３を押圧するように構成されている。
操作検出部３は、スイッチ押圧部２５によって後側に押圧されるとオン状態となり、乾燥操作ボタン２ａに対する押下操作を検出するように構成されている。
なお、スイッチ押圧部２５の形状は、操作検出部３を押圧可能であれば、円柱以外の任意の形状であってもよい。
【００３４】
図６に示すように、カム部２４は、円板部２１の後面における、スイッチ押圧部２５を上下に挟む位置それぞれに設けられ、円板部２１から後側に突出している。
カム部２４は、板面が上下方向を向く平板状に形成され、後側の端部(先端部)における左右方向の両角に傾斜面２４１，２４１が形成されている。この傾斜面２４１，２４１は、後述する第１カム部２７を構成している。
【００３５】
図１に示すように、乾燥操作ボタン２ａ、ビデ洗浄操作ボタン２ｄ、おしり洗浄操作ボタン２ｅおよび停止操作ボタン２ｆは、同じ高さに配置されている。図４に示すように、これらの操作ボタン２それぞれのフランジ２３の下端部２３ａは、それぞれの操作ボタン２が対向する基板４の下端部４ａよりも下側に配置されている。
【００３６】
図１０〜図１２に示すように、洗浄強さ増加操作ボタン２ｂおよび洗浄強さ減少操作ボタン２ｃは、板面が略半円となる平板状に形成され板面が前後方向を向くように配置される半円板部２１Ｂと、半円板部２１Ｂの外縁部から後側に延びる筒状の筒状部２２Ｂと、筒状部２２Ｂの後端部から径方向の外側に突出するフランジ２３Ｂと、半円板部２１Ｂから後側に突出するカム部２４Ｂと、半円板部２１Ｂから後側に突出するスイッチ押圧部２５Ｂと、を有している。
【００３７】
図１０に示すように、洗浄強さ増加操作ボタン２ｂおよび洗浄強さ減少操作ボタン２ｃについても乾燥操作ボタン２ａと同様に、蓋部８２の操作ボタン用開口部８２７Ｂに後側から挿入され、蓋部８２（ケース８）に対して前後方向に移動可能に構成されている。洗浄強さ増加操作ボタン２ｂおよび洗浄強さ減少操作ボタン２ｃは、蓋部８２に対して前側に移動してフランジ２３Ｂが筒状部８２６の後端部と当接すると、蓋部８２の操作ボタン用開口部８２７Ｂから前側に抜け出せないように構成されている。
【００３８】
図１２に示すように、洗浄強さ増加操作ボタン２ｂのスイッチ押圧部２５Ｂは、半円板部２１Ｂの後面の上部側から後側に突出する円柱状に形成されている。洗浄強さ減少操作ボタン２ｃのスイッチ押圧部２５Ｂは、半円板部２１Ｂの後面の下部側から後側に突出する円柱状に形成されている。
図１０に示すように、洗浄強さ増加操作ボタン２ｂおよび洗浄強さ減少操作ボタン２ｃそれぞれのスイッチ押圧部２５Ｂは、スイッチ押圧部２５と同様に、操作検出部３の前側に対向して配置されていて、これらの操作ボタン２が後側に向かって押下操作された場合に操作検出部３を押圧するように構成されている。
【００３９】
図１２に示すように、洗浄強さ増加操作ボタン２ｂのカム部２４Ｂは、半円板部２１Ｂの後面におけるスイッチ押圧部２５Ｂの下側に設けられ、半円板部２１Ｂから後側に突出している。洗浄強さ減少操作ボタン２ｃのカム部２４は、半円板部２１Ｂの後面におけるスイッチ押圧部２５の上側に設けられ、半円板部２１Ｂから後側に突出している。
それぞれのカム部２４Ｂは、板面が上下方向を向く平板状に形成され、後側の端部(先端部)における左右方向の両角に傾斜面２４１Ｂ，２４１Ｂが形成されている。この傾斜面２４１Ｂ，２４１Ｂは、後述する第１カム部２７Ｂを構成している。
【００４０】
図６に示すように、洗浄強さ増加操作ボタン２ｂは、半円板部２１Ｂの円弧部２１ａが上側に突出する向きに配置されている。洗浄強さ減少操作ボタン２ｃは、半円板部２１Ｂの円弧部２１ａが下側に突出する向きに配置されている。洗浄強さ増加操作ボタン２ｂは、洗浄強さ減少操作ボタン２ｃの上側に配置されている。
図１１に示すように、洗浄強さ減少操作ボタン２ｃの筒状部２２Ｂの上面２２ｂは、左右方向の中間部から両端部に向かって漸次下側に向かうように緩く湾曲している。
図１０に示すように、洗浄強さ減少操作ボタン２ｃのフランジ２３Ｂの下端部２３ａは、対向する基板４の下端部４ａ近傍の高さに配置されている。なお、本実施形態では、洗浄強さ減少操作ボタン２ｃのフランジ２３Ｂの下端部２３ａは、対向する基板４に設けられた回路よりも下側に配置されている。
【００４１】
図３に示す操作検出部３は、例えば、プッシュボタンスイッチで、６つの操作ボタン２（図２参照）それぞれに対して設けられている。すなわち、操作検出部３は、複数の操作ボタン２のそれぞれに対応して設けられている。また、複数の操作検出部３は、基板４の回路にそれぞれ電気的に接続されている。
操作検出部３は、対応する操作ボタン２が操作されたこと（本実施形態では、操作ボタン２が押下操作されたこと）を検出するように構成されている。
【００４２】
モード切替スイッチ７は、リモコン装置１の作動モードを、通常モードと管理モードとを切り替え可能に構成されている。
通常モードとは、操作ボタン２ごとに設定される機能（例えば、ビデ洗浄、おしり洗浄、局部乾燥、洗浄強さ調節）をトイレ装置に実行させるためのモードである。一方、管理モードとは、トイレ装置の設定を操作ボタン２の操作により設定変更可能なモードであって、例えば、管理者や施工者などの特定の者のみが使用するモードである。管理モードでは、例えば、便座の設定温度や、ビデ洗浄及びビデ洗浄のシャワーの設定温度などを設定することができる。
したがって、管理モードの場合に、ユーザにより操作ボタン２が操作されたとしても、操作ボタン２ごとに設定される機能は実行されないように構成されている。
【００４３】
図５、図１３および図１４に示すモード切替スイッチ７は、使用者がモードを切り替えるために操作するモード切替操作部（操作部）７１と、モード切替操作部７１の操作を検出するモード切替操作検出部７２と、を有している。モード切替操作検出部７２は、プッシュボタンスイッチで構成され、後側からモード切替操作部７１に押圧されることで、モード切替操作部７１の操作を検出するように配置されている。モード切替操作検出部７２は、基板４の回路と電気的に接続されている。
【００４４】
モード切替操作部７１は、ケース本体部８１に形成されたモード切替スイッチ用孔部８１１ｃに配置されて、ケース本体部８１の軸部８１５に回動可能に嵌合されている。
モード切替操作部７１は、ケース本体部８１の軸部８１５に回動可能に嵌合する軸嵌合部７１１と、軸嵌合部７１１と接続され使用者が把持可能な把持部７１２と、把持部７１２と接続されモード切替操作検出部７２を押圧可能なモード切替スイッチ押圧部７１３と、を有している。
以下のモード切替スイッチ７の説明では、図１３に示すモード切替スイッチ７が通常モードの姿勢であるものとして説明し、その後に図１４に示す管理モードとなった際のモード切替スイッチ７の姿勢について説明する。
【００４５】
図１３に示すように、軸嵌合部７１１は、前側に開口し左右方向に延びる溝部７１１ａが形成されている。溝部７１１ａには、前側からケース本体部８１の軸部８１５が嵌合するように構成されている。
把持部７１２は、軸嵌合部７１１の後側における下側に接続され、軸嵌合部７１１から下側に向かって漸次後側に向かうように斜め方向に延びている。
把持部７１２は、上側から下側に向かって厚さ寸法（前後方向の寸法）が厚くなるように形成されている。把持部７１２の前面７１２ａは、上側から下側に向かって漸次後側に向かうように傾斜している。把持部７１２の後面７１２ｂには高さ方向の中間部に段部７１２ｃが形成されている。把持部７１２の後面７１２ｂのうちの段部７１２ｃよりも下側の下側後面７１２ｄは、段部７１２ｃよりも上側の上側後面７１２ｅよりも後側に突出している。
【００４６】
把持部７１２の上側後面７１２ｅは、上側から下側に向かって漸次後側に向かうように傾斜している。把持部７１２の上側後面７１２ｅの傾斜は、把持部７１２の前面７１２ａの傾斜よりも鉛直面に対して大きく傾斜している。
把持部７１２の下側後面７１２ｄのうちの下端部近傍は、上側から下側に向かって漸次前側に向かうテーパー面７１２ｆに形成されている。把持部７１２の下側後面７１２ｄのうちの下端部近傍（テーパー面７１２ｆが形成された部分）よりも上側の部分は、略鉛直面となるように形成されている。
【００４７】
把持部７１２の下端部近傍には、前側に切欠き部７１２ｇが形成され、切欠き部７１２ｇの前側には、上側から下側に突出する爪部７１２ｈが形成されている。切欠き部７１２ｇの上側は、ケース本体部８１のモード切替スイッチ用孔部８１１ｃの内部に配置され、爪部７１２ｈがモード切替スイッチ用孔部８１１ｃの縁部に引っ掛かるように構成されている。爪部７１２ｈがモード切替スイッチ用孔部８１１ｃの縁部に引っ掛かった状態の把持部７１２は、所定の力で後側に引っ張られないとモード切替スイッチ用孔部８１１ｃから外れないように構成されている。
把持部７１２における切欠き部７１２ｇよりも後側の部分は、ケース８の後板部８１１における薄板部８１１ｄの後側に配置されている。
【００４８】
モード切替スイッチ押圧部７１３は、把持部７１２の前面７１２ａから前側に突出していて、先端部がモード切替操作検出部７２を後側から押圧可能な位置に配置されている。
【００４９】
通常モードのモード切替操作部７１が軸部８１５の軸線を中心として、下部側が後側かつ上側に移動する方向に回動すると、図１９に示すように、モード切替スイッチ押圧部７１３がモード切替操作検出部７２から離間し、管理モードとなるように構成されている。
なお、モード切替スイッチ７は、モード切替スイッチ押圧部７１３がモード切替操作検出部７２から離間した段階で管理モードとなるように構成されていてもよいし、モード切替スイッチ押圧部７１３がモード切替操作検出部７２から離間した状態で、所定の操作ボタン２が押された後に管理モードとなるように構成されていてもよい。
【００５０】
管理モードとなったモード切替操作部７１は、把持部７１２の上側後面７１２ｅがケース本体部８１のモード切替スイッチ用孔部８１１ｃの縁部と当接し、さらに同じ方向に回動できない状態となる。このとき、モード切替操作部７１の把持部７１２の後面７１２ｂは、水平面とならず、前側から後側に向かって漸次下側に向かうように傾斜している。
モード切替操作部７１の回動領域は９０°未満となっている。
【００５１】
図１３に示すように、通常モードのリモコン装置１がブラケット９に取り付けられると、ブラケット９の壁固定部９１の前面が把持部７１２の下側後面７１２ｄに後側から当接し、モード切替操作部７１が後側に回動せず、モード切替スイッチ押圧部７１３がモード切替操作検出部７２を押圧した状態に維持される。これにより、リモコン装置１は、ブラケット９に取り付けられている状態では、管理モードとはならずに通常モードに維持されることになる。
このため、リモコン装置１を管理モードとするには、ブラケット９から外して、モード切替操作部７１をモード切替操作検出部７２から離間させて管理モードとなるように回動させる必要がある。
【００５２】
リモコン装置１をブラケット９に取りつける際に、モード切替操作部７１が管理モードの姿勢となっていると、モード切替操作部７１の下側後面７１２ｄにおけるテーパー面７１２ｆがブラケット９の壁固定部９１と面接触する。これにより、リモコン装置１をブラケットに取り付けるためにさらにブラケット９に近づけると、モード切替操作部７１が後側からブラケット９に押されるようにして回動し、通常モードの姿勢となる。このようにリモコン装置１は、常に通常モードとなった状態でブラケット９に取り付けられるように構成されている。
【００５３】
図３に示すように、発電部５は、各操作ボタン２の少なくともいずれかが押下操作されることにより発電するように構成されている。具体的には、発電部５は、操作ボタン２に対する操作力を電力に変換することで発電する。本実施形態による発電部５は、変位することにより発電する可動部５１を有している。
発電部５により発電された電力は、リモコン装置１の動作電源として用いられるように構成されている。
なお、発電部５は、電磁誘導により上記操作力を電力に変換してもよいし、圧電素子を用いて上記操作力を電力に変換してもよい。
【００５４】
リンク機構６は、各操作ボタン２（図２参照）に対する操作力を発電部５に伝達するように構成されている。リンク機構６は、複数の操作ボタン２のうち、少なくとも一つの操作ボタン２が押下操作された場合に、その押下操作の操作力を発電部５に伝達するように構成されている。
【００５５】
リンク機構６は、各操作ボタン２と発電部５との間に設けられている。リンク機構６は、ラダー形状のリンク機構本体部６１と、リンク機構本体部６１とケース８との間に配置された圧縮コイルバネ６２と、を有している。
図１５に示すように、リンク機構本体部６１は、一対の縦木部６３，６３と、一対の縦木部６３，６３の間に複数設けられた横木部６４，６４…と、を有している。
【００５６】
一対の縦木部６３，６３は、それぞれ長板状に形成され、左右方向に延びる向きで上下方向に間隔をあけて配置されている。
縦木部６３には、スライド部６３１、被ガイド部６３２、および第２カム部６３３が形成されている。
スライド部６３１は、縦木部６３の後面に、左右方向に間隔をあけて複数形成されている。スライド部６３１は、縦木部６３におけるスライド部６３１が形成されていない部分よりも後側に突出している。
図１６に示すように、スライド部６３１は、ケース本体部８１の後板部８１１に対して接触且つ摺動可能に配置されている。なお、縦木部６３の後面を全面的にケース本体部８１に接触させると接触抵抗が増大することになるため、本実施形態では、縦木部６３におけるスライド部６３１のみがケース本体部８１の後板部８１１に接触し、縦木部６３におけるスライド部６３１以外は、ケース本体部８１から離間している。
本実施形態では、スライド部６３１は、リモコン装置１の操作ボタン２（図２参照）に対向する位置に配置されている。
【００５７】
被ガイド部６３２は、縦木部６３の後面におけるスライド部６３１が形成されていない部分から、後側に突出する板状に形成されている。ケース本体部８１の後板部８１１の前面には前側に開口し左右方向に延びる溝部を有するガイドレール８１７が設けられている。被ガイド部６３２は、ガイドレール８１７の溝部に挿入されている。リンク機構本体部６１は、被ガイド部６３２がガイドレール８１７に案内されることにより、ケース本体部８１に対して左右方向に摺動するように構成されている。
【００５８】
圧縮コイルバネ６２は、縦木部６３をケース本体部８１に対して左側に付勢するように構成されている。
第２カム部６３３は、リンク機構本体部６１の左右方向の略中央部における上端部に形成されている。第２カム部６３３は、発電部５の可動部５１に対向するように配置されている。
【００５９】
複数の横木部６４，６４…は、それぞれ棒状のローラで、上下方向に延びる向きで一対の縦木部６３の間に互いに左右方向に間隔をあけて配置されている。複数の横木部６４，６４…は、それぞれ操作ボタン２の第１カム部２７（２７Ｂ）に対向するように配置されている。
【００６０】
次に、本実施形態に係るリモコン装置１における発電方法について説明する。
図１６に示す操作ボタン２が使用者により押下操作されると、図１７に示すように、操作ボタン２の第１カム部２７（２７Ｂ）である傾斜面２４１（２４１Ｂ）がリンク機構本体部６１の横木部６４を押圧する。そして、横木部６４が押圧されると、この押圧力が第１カム部２７（２７Ｂ）からリンク機構本体部６１に伝達され、リンク機構本体部６１はガイドレール８１７に案内されながら、左右方向の右側に移動する。このリンク機構本体部６１の移動に伴い、第２カム部６３３が発電部５の可動部５１に作用して、その発電部５の可動部５１を後方に変位させる。これにより、発電部５が発電する。
なお、操作ボタン２の押下操作が開放されると、圧縮コイルバネ６２の付勢力によりリンク機構本体部６１が左側に押されて図１６に示す元の位置に戻される。そして、リンク機構本体部６１が元の位置に戻ることにより、横木部６４が第１カム部２７（２７Ｂ）を前側に押すため、操作ボタン２が前側に移動し元の位置に戻される。なお、操作ボタン２は、操作検出部３に内蔵されている圧縮コイルバネの付勢力（押下方向と反対方向に付勢する力）によって元の位置に戻されてもよい。
【００６１】
制御部は、操作ボタン２が押下操作されると、発電部５で発電された電力を動作電源として起動する。そして、制御部は、操作ボタン２の押下操作によって操作検出部３から検出信号を取得すると、その検出信号に基づいて、複数の操作ボタン２の中から押下操作された操作ボタン２を判別する。例えば、制御部は、検出信号を送信した操作検出部３を特定し、その特定した操作検出部３の検出対象である操作ボタン２を特定することで押下操作された操作ボタン２を判別する。
【００６２】
そして、制御部は、モード切替スイッチ７がオン状態である場合、すなわち通常モードである場合には、押下操作された操作ボタン２に応じた操作信号をトイレ装置に無線送信する。これにより、制御部は、トイレ装置に対して、操作ボタン２ごとに設定される機能（例えば、ビデ洗浄、おしり洗浄、局部乾燥）をトイレ装置に実行させことができる。
【００６３】
一方、制御部は、モード切替スイッチ７がオフ状態である場合、すなわち管理モードである場合には、任意の操作ボタン２が操作されたことをきっかけとして、設定信号をトイレ装置に無線送信する。この設定信号は、トイレ装置の設定を変更するための信号であって、操作信号とは異なる信号である。この設定信号は、例えば、操作ボタン２が操作されるごとにトイレ装置に無線送信される。
【００６４】
次に、上述した実施形態によるリモコン装置１の作用・効果について図面を用いて説明する。
管理モードのモード切替操作部７１は、通常モードの姿勢からの回動角度が９０°未満となるため、リモコン装置１がブラケット９に取り付けられる際に、モード切替操作部７１が管理モードの姿勢となって対向面から外側に突出していると、モード切替操作部７１の下側後面７１２ｄがブラケット９に当接することになる。したがって、モード切替操作部７１は、ブラケット９によって前側（ケース８側）に回動することになり、確実に通常モードの姿勢となる。
これにより、モード切替操作部７１が管理モードの姿勢となったままの状態で、リモコン装置１がブラケット９に取り付けられそうになっても、モード切替操作部７１はブラケット９に押されて通常モードの姿勢となるため、ブラケット９に取り付けられたリモコン装置１は、モード切替スイッチ７が確実に通常モードとなった状態とすることができる。
【００６５】
また、モード切替操作部７１が通常モードとなる姿勢でリモコン装置１がブラケット９に取り付けられると、モード切替操作部７１とブラケット９とが面接触している。これにより、リモコン装置１がブラケット９に取り付けられると、モード切替操作部７１がブラケット９と面接触して後側に回動することが防止されるため、モード切替操作部７１を通常モードの姿勢に維持することができる。
【００６６】
また、モード切替操作部７１には、下側後面７１２ｄの下端部近傍にテーパー面７１２ｆが形成されていることにより、モード切替操作部７１が管理モードの姿勢となったままの状態で、リモコン装置１がブラケット９に取り付けられそうになると、まず、モード切替操作部７１のテーパー面７１２ｆがブラケット９と面接触するため、モード切替操作部７１を前側に回動させることができる。これによりモード切替操作部７１を確実に通常モードの姿勢とすることができる。
【００６７】
また、軸部８１５は、左右方向に延び、モード切替操作部７１の上部側を回動可能に支持していることにより、モード切替操作部７１は、軸部８１５を中心として回動すると、下部側がケース８と離間しても、上部側はケース８と離間しないことになる。これにより、モード切替操作部７１とケース８との間に上側から水や埃が入り込むことを防止できる。特に、ケース８のモード切替スイッチ用孔部８１１ｃ（開口部）を介して上側からケース８の内部に水や埃が入ることを防止できる。
【００６８】
また、リモコン装置１は、ブラケット９に対して上側から取り付けられることにより、モード切替操作部７１が管理モードの姿勢となったままリモコン装置１がブラケット９に取り付けられると、まず、モード切替操作部７１の下側後面７１２ｄがブラケット９と当接して、モード切替操作部７１が前側に向かうように押されて回動するため、モード切替操作部７１を通常モードの姿勢とすることができる。
【００６９】
以上、本発明によるリモコン装置１の実施形態について説明したが、本発明は上記の実施形態に限定されるものではなく、その趣旨を逸脱しない範囲で適宜変更可能である。
例えば、上記の実施形態では、モード切替スイッチ７は、軸部８１５を中心に回動してモード切替スイッチ押圧部７１３がモード切替操作検出部７２を押すと通常モードとなり、モード切替スイッチ押圧部７１３がモード切替操作検出部７２から離間すると管理モードとなるように構成されている。これに対し、通常モードと管理モードとを切り替える形態は上記以外であってもよい。
例えば、モード切替スイッチがホール素子を用いたセンサを有していて、リモコン装置がブラケットから取り外されてリモコン装置とブラケットとが離間したことを検知すると管理モードに切り替え、リモコン装置がブラケットに取り付けられてリモコン装置とブラケットとが近接したことを検知すると通常モードに切り替えるように構成されていてもよい。
また、上記の実施形態では、モード切替操作部７１は、回動角度が９０°未満であるであるが、回動角度は適宜設定されてよい。
【００７０】
また、上記の実施形態では、モード切替操作部７１が通常モードとなる姿勢でリモコン装置１がブラケット９に取り付けられると、モード切替操作部７１とブラケット９とが面接触している。これに対し、モード切替操作部７１とブラケット９とがわずかな隙間をあけて対向していてもよいし、点接触や、線接触していてもよい。
また、上記の実施形態では、モード切替操作部７１には、下側後面７１２ｄの下端部近傍にテーパー面７１２ｆが形成されているが、このようなテーパー面７１２ｆが形成されていなくてもよい。
【００７１】
また、上記の実施形態では、軸部８１５は、左右方向に延び、モード切替操作部７１の上部側を回動可能に支持しているが、軸部８１５の延びる方向やモード切替操作部７１を回動可能に支持する位置は適宜設定されてよい。
また、上記の実施形態では、リモコン装置１は、ブラケット９に対して上側から取り付けられているが、下側や側方から取り付けられていてもよい。
【００７２】
また、モード切替操作部７１は、上記以外の形態であってもよい。例えば、本実施形態では、通常モードの姿勢のモード切替操作部７１を管理モードの姿勢にするには、管理者が把持部７１２を把持してモード切替操作検出部７２からモード切替スイッチ押圧部７１３を離間させる必要がある。これに対し、管理者がモード切替操作部７１を把持することなく、通常モードの姿勢のモード切替操作部７１を管理モードの姿勢となるように付勢する付勢部材が設けられていてもよい。また、このような付勢部材がモード切替操作検出部７２に設けられていてもよい。
【００７３】
また、上記の実施形態では、リモコン装置１に発電部５およびリンク機構６が設けられているが、これらが設けられていなくてもよい。
また、上記の実施形態では、リモコン装置１は、局部洗浄装置を遠隔操作するように構成されているが、便座の開閉装置など他の装置を遠隔操作するように構成されていてもよい。また、リモコン装置は、トイレ装置以外に対して設けられる装置を遠隔操作するように構成されていてもよい。
また、上記の実施形態では、リモコン装置１は、壁部１１に設けられたブラケット９に着脱可能に構成されているが、ブラケット９以外の支持部材に着脱可能に構成されていてもよいし、支持部材が壁部１１以外に設けられていてもよい。例えば、リモコン装置１がケース状の支持部材に収容可能に構成されていてもよい。
【符号の説明】
【００７４】
１  リモコン装置
２  操作ボタン
７  モード切替スイッチ
８  ケース
９  ブラケット（支持部材）
１１  壁部
７１  モード切替操作部（操作部）
７１２ｆ  テーパー面
８１５  軸部
【図１】
2019054443.tif 000003
【図２】
2019054443.tif 000004
【図３】
2019054443.tif 000005
【図４】
2019054443.tif 000006
【図５】
2019054443.tif 000007
【図６】
2019054443.tif 000008
【図７】
2019054443.tif 000009
【図８】
2019054443.tif 000010
【図９】
2019054443.tif 000011
【図１０】
2019054443.tif 000012
【図１１】
2019054443.tif 000013
【図１２】
2019054443.tif 000014
【図１３】
2019054443.tif 000015
【図１４】
2019054443.tif 000016
【図１５】
2019054443.tif 000017
【図１６】
2019054443.tif 000018
【図１７】
2019054443.tif 000019